(57)【要約】【課題】多チャンネル時間指定録画のうちのあるチャンネルの番組を延長して録画することができる放送録画装置及び放送録画方法を提供する。【解決手段】放送番組を録画する録画手段と、前記録画手段により録画される放送番組のコンテンツの情報を管理する録画情報管理手段と、前記録画される放送番組を再生する再生手段と、前記再生手段により再生された前記録画される放送番組の前記コンテンツの情報の録画時間をこの放送番組の放送時間の延長に基づいて延長する延長手段とを備えたことを特徴とする放送録画装置。【選択図】  図３
2012004718.tif 000002
【特許請求の範囲】
【請求項１】
放送番組を録画する録画手段と、
前記録画手段により録画される放送番組のコンテンツ関連情報を管理する録画情報管理手段と、
前記録画される放送番組を再生する再生手段と、
前記再生手段により再生された前記録画される放送番組の前記コンテンツ関連情報の録画時間をこの放送番組の放送時間の延長に基づいて延長する延長手段とを
備えたことを特徴とする放送録画装置。
【請求項２】
更に延長の意思を確認するための表示を行う信号を表示手段へ出力する表示信号出力手段と、
この表示に基づく外部からの延長の意思の入力手段とを備え、
この延長の意思が入力された場合は前記延長手段は、当該放送番組の放送時間を延長することを特徴とする請求項１に記載の放送録画装置。
【請求項３】
放送番組を録画する録画手段と、
前記録画手段により録画された放送番組のコンテンツの情報を管理する録画情報管理手段と、
前記録画された放送番組を再生する再生手段と、
前記再生手段により再生された前記録画された放送番組の前記コンテンツの情報の次回録画時間をこの放送番組の放送時間の延長に基づいて延長する延長手段とを
備えたことを特徴とする放送録画装置。
【請求項４】
前記放送番組の放送時間の延長は、開始時刻を前に延長することであることを特徴とする請求項３に記載の放送録画装置。
【請求項５】
前記表示手段を更に備えたことを特徴とする請求項２に記載の放送録画装置。
【請求項６】
放送番組を録画し、
前記録画の途中である放送番組のコンテンツの情報を管理し、
前記録画の途中である放送番組を外部からの指示に基づいて再生し、
前記再生された前記録画の途中である放送番組の前記コンテンツの情報の録画時間をこの放送番組の放送時間の延長に基づいて延長することを特徴とする放送録画方法。
【発明の詳細な説明】
【技術分野】
【０００１】
本発明の実施形態は、複数の番組を録画する放送録画装置及び放送録画方法に関する。
【背景技術】
【０００２】
複数チャンネルを録画する放送録画装置の中には、予めユーザーが設定した開始時刻から終了時刻の間を繰り返し多チャンネル録画する機能が存在する。本機能により、ユーザーが放送開始後に番組の視聴を開始した場合でも番組の先頭に遡り視聴することが可能となった。
【０００３】
録画する機能の応用としては、例えば特許文献１には放送予定の番組の録画を予約・登録し、予定の放送の時間が変更される場合、記録時間も自動的に変更して最後まで記録する、放送番組記録再生装置なるものが記載されている。
【０００４】
他方で開始時刻から終了時刻の間を繰り返し多チャンネル録画する機能を用いる場合は、開始時刻と終了時刻から録画期間を決定している為、不意の放送時刻の変更などにより、一般に終了時刻にかかる番組を最後まで録画できない可能性が出てきている。即ち、多チャンネル時間指定録画のうちのあるチャンネルの番組を最後まで延長して録画したいという要望があるが、かかる要望を実現するための手段は知られていない。
【先行技術文献】
【特許文献】
【０００５】
【特許文献１】特開２００８−１０４２０３号公報
【発明の概要】
【発明が解決しようとする課題】
【０００６】
本発明は、多チャンネル時間指定録画において、番組延長に追従して録画することができる放送録画装置及び放送録画方法を提供することを目的とする。
【課題を解決するための手段】
【０００７】
上記課題を解決するために、実施形態の放送録画装置によれば、放送番組を録画する録画手段と、前記録画手段により録画される放送番組のコンテンツの情報を管理する録画情報管理手段と、前記録画される放送番組を再生する再生手段と、前記再生手段により再生された前記録画される放送番組の前記コンテンツの情報の録画時間をこの放送番組の放送時間の延長に基づいて延長する延長手段とを備えたことを特徴とする。
【図面の簡単な説明】
【０００８】
【図１】この発明の一実施形態を示すブロック構成図。
【図２】同実施形態の録画設定を説明するために示す図。
【図３】同実施形態の録画設定に対応する番組を表す模式図。
【図４】同実施形態の録画延長の例を示すフローチャート。
【図５】同実施形態に録画延長の例を示すフローチャート。
【図６】同他の形態の録画設定に対応する番組を表す模式図。
【発明を実施するための形態】
【０００９】
以下、本発明の実施形態を説明する。
（第１の実施形態）
本発明による第１の実施形態を図１乃至図５を参照して説明する。
一般に放送録画装置においては、予めユーザーが設定した開始時刻から終了時刻の間を繰り返し多チャンネル録画する機能が存在する。
本機能により、ユーザーが放送開始後に番組の視聴を開始した場合でも番組の先頭に遡り視聴することが可能となった。その反面、開始時刻と終了時刻から録画期間を決定している為、不意の放送時刻の変更などにより、終了時刻にかかる番組を最後まで録画できない可能性がある。
【００１０】
本実施形態は、上記時刻指定の繰り返し録画機能を有する例えばデジタル放送受信装置に関するものである。
図１は、本実施形態の受信装置における構成の一実施例を示す図である。外部のアンテナ１と、チューナ／復調器２、ＴＳデコーダ３、記憶メモリ４、デコーダ５、合成処理部６、ユーザーＩ／Ｆ７、制御部８および録画情報管理部９などから構成されている。
【００１１】
アンテナ１は、放送局から送信される電波を受信するアンテナである。チューナ／復調器２は、アンテナで受信した電波をＭＰＥＧ−ＴＳへ復調するチューナ／復調器である。
【００１２】
ＴＳデコーダ３は、多重化されたストリームを映像、音声、文字スーパー・字幕などに分解するＴＳデコーダである。録画は、ＴＳデコーダから記憶メモリ４へデータを蓄積することにより実現する。即ち、記憶メモリ４はＴＳデコーダ３から送られてくるデータを蓄積するＨＤＤ等の記憶メモリである。
【００１３】
デコーダ５は、ＴＳデコーダ３から送られてくるデータを復号するデコーダである。オーディオデータはオーディオデコーダ５ａ、ビデオデータはビデオデコーダ５ｂ、文字スーパーおよび字幕は文字スーパー・字幕デコーダ５ｃでそれぞれデコードされるように構成されている。
【００１４】
合成処理部６は、ビデオデコーダ５ｂ、文字スーパー・字幕デコーダ５ｃのデコードしたデータを合成し、ビデオ出力を生成する合成処理部である。ビデオ出力は例えば外部の図示せぬ表示部へ接続されている。
【００１５】
ユーザーＩ／Ｆ７は、図示せぬリモコン等の手段により、ユーザーからの操作要求を受信するユーザーＩ／Ｆである。
制御部８は、受信装置に存在するモジュールを制御する制御部である。制御部は、受信装置内の各部の処理を統括し、図４、図５で後述する録画延長処理を行なう。
録画情報管理部９は、記録されたコンテンツ関連情報を管理する録画情報管理部である。コンテンツ関連情報とは、コンテンツの番組名、放送日時、録画時間等のコンテンツに関する情報のことである。
【００１６】
図２は、本発明の受信装置における録画設定画面の一例である。
本例では、毎日１９時から２４時までチャンネル１、２、３、４を録画することを示している。この録画設定画面の元となる情報は制御部８で作られ録画情報管理部９へ記憶される。
【００１７】
図３は、本発明の受信装置における録画したコンテンツを選択する画面の一例である。本例では、ch1（チャンネル１）は、番組１A、１B、１C、１D、１Eが、ch2は、番組２A、２B、２C、２Dが、ch3は、番組３A、３B、３C、３D、３Eが、ch4は、番組４A、４B、４C、４D、４Eが各録画されていることを示している。
【００１８】
ユーザーは、録画されたコンテンツの中から１つの番組を選択し、再生することが可能である。また、録画が終了していない録画中の番組を先頭などから再生(タイムシフト再生)することも可能である。ザッピング等により順に複数の番組を選択していけば、どれも以下に説明するフローにおけるユーザーからの再生要求の対象となる。
【００１９】
図３の例では番組２Dは通常２４時に終わるが、ある日は所謂２５時（翌日の１時）に終わることを示している。録画された番組２Dを２４時までに一部でも視聴すれば、２５時まで録画される。
【００２０】
図４は、本発明の受信装置における自動的な録画延長フローを示したものである。
ユーザーからの再生要求（ステップＳ４１）により、制御部８は、録画情報管理部９から再生コンテンツの放送終了時刻を取得する（ステップＳ４２）。次に制御部８は、自身が管理する現在時刻を取得する（ステップＳ４３）。
【００２１】
次に制御部８は、放送終了時刻と現在時刻を比較し（ステップＳ４４）、放送終了時刻の方が大きい場合は、現在放送中の番組と判断し次のステップＳ４５へ進む。放送終了時刻の方が大きくない場合は、放送が終了しており録画済みのコンテンツと判断して処理を終了する。
【００２２】
現在放送中(録画中)のコンテンツへの再生要求の場合、制御部８は、録画情報管理部９からユーザーから設定された録画終了時刻を取得する（ステップＳ４５）。
次に制御部８は、録画終了時刻と放送終了時刻を比較し、放送終了時刻まで録画可能かどうかを判断する（ステップＳ４６）。
ステップＳ４６にて放送終了時刻の方が大きい場合は、放送終了時刻まで録画できないので、一時的に録画終了時刻を放送終了時刻へ変更する（ステップＳ４７）ことにより、放送終了時刻まで録画可能となる。また、視聴中に再度放送終了時刻が変更になった場合、録画終了管理部９は自動的に録画終了時刻を放送終了時刻へ再設定する。
【００２３】
他方、ステップＳ４６にて放送終了時刻の方が大きくない場合は、最後まで録画可能であると判断して処理を終了する。
図５は、本発明の受信装置におけるユーザー選択による録画延長フローを示したものである。
ユーザーからの再生要求（ステップＳ５１）により、制御部８は、録画情報管理部９から再生コンテンツの放送終了時刻を取得する（ステップＳ５２）。次に制御部８は、自身が管理する現在時刻を取得する（ステップＳ５３）。
【００２４】
次に制御部８は、放送終了時刻と現在時刻を比較し（ステップＳ５４）、放送終了時刻の方が大きい場合は、現在放送中の番組と判断し次のステップＳ５５へ進む。放送終了時刻の方が大きくない場合は、放送が終了しており録画済みのコンテンツと判断して処理を終了する。
【００２５】
現在放送中(録画中)のコンテンツへの再生要求の場合、制御部８は、録画情報管理部９からユーザーから設定された録画終了時刻を取得する（ステップＳ５５）。
次に制御部８は、録画終了時刻と放送終了時刻を比較し、放送終了時刻まで録画可能かどうかを判断する（ステップＳ５６）。
放送終了時刻の方が大きい場合は（ステップＳ５６のＹｅｓ）、放送終了時刻まで録画できないので、ユーザーに対し放送終了まで録画できない旨の警告メッセージを提示（例えば画面上に表示）し（ステップＳ５７）、以下放送終了まで録画するかどうかをユーザーに選択させる。この提示に対して放送終了時刻まで録画するが選択された場合（例えばユーザーが延長する意思をリモコンのボタン等の操作により示した場合）には（ステップＳ５８のＹｅｓ）、録画終了時刻を放送終了時刻へ変更する（ステップＳ５９）ことにより、放送終了時刻まで録画可能となる。また、視聴中に再度放送終了時刻が変更になった場合、録画終了管理部９は自動的に録画終了時刻を放送終了時刻へ再設定する。なお視聴者が延長する意思を示さなかった場合には（ステップＳ５８のＮｏ）、処理を終了する。
【００２６】
他方、放送終了時刻の方が大きくない場合は（ステップＳ５６のＮｏ）、最後まで録画可能であると判断して処理を終了する。
以上のように録画終了時刻を放送終了時刻へ一時的に変更することにより、繰り返しの時刻指定録画の延長時においても番組の最後まで視聴(録画)することが可能となる。
【００２７】
（第２の実施形態）
本発明による第２の実施形態を図１乃至図２及び図６を参照して説明する。実施形態１と共通する部分は説明を省略する。
図６は、本実施形態の受信装置における録画対象のコンテンツを選択する画面の一例である。本例では、ch1（チャンネル１）は、番組１A、１B、１C、１D、１Eが、ch2は、番組２A、２B、２C、２Dが、ch3は、番組３A、３B、３C、３D、３Eが、ch4は、番組４A、４B、４C、４D、４Eが各録画されることを示している。
【００２８】
ユーザーは、録画されたコンテンツの中から１つの番組を選択し、再生することが可能である。また、録画が終了していない録画中の番組を先頭などから再生(タイムシフト再生)することも可能である。
【００２９】
実施形態１は録画終了時刻に関わるものであったのに対し、本実施形態は録画開始時刻に関わるものである。番組２Aは通常１９時から始まるが、ある日は１８時４０分から始まることを図６は示している。録画された番組２Aを少しでも視聴すれば、例えば翌日または翌週の番組２Aは１８時４０分から始まってもこの時刻から録画される。
【００３０】
以上の実施例で以下の方法、及び効果・ポイントを説明した。
＜解決方法＞
（１）タイムシフト再生開始時に再生コンテンツの情報(放送種別、ネットワークID、トランスポートストリームID、サービスID等)から該当コンテンツの放送終了時刻を取得する。
【００３１】
（２）放送終了時刻、現在時刻、録画終了時刻から、再生コンテンツが番組の最後まで録画されるか否かを判断する。
（３）番組の最後まで録画されないことが判明した場合、以下のいずれかの方法により録画を延長する。
（３ａ）番組の最後まで録画するように自動的に録画終了時刻を延長する。
（３ｂ）再生開始時にユーザーに再生コンテンツが最後まで録画されない旨の警告を提示し、録画延長するか否かの判断を仰ぐ。録画延長の要求があった場合、番組の最後まで録画終了時刻を延長する。
【００３２】
なお上記の他に、録画終了時刻の一定時間前にユーザーに再生コンテンツが最後まで録画されない旨の警告を提示し、録画延長するか否かの判断を仰いでもよい。この場合も録画延長の要求があった場合、番組の最後まで録画終了時刻を延長する。
【００３３】
＜効果・ポイント＞
ユーザーが視聴している番組を最後まで録画・再生することが可能になる。
再生するコンテンツの情報と、現在時刻、録画終了時刻から、再生コンテンツが最後まで録画できるかどうかを判断し、番組の最後まで録画できること。多チャンネルの繰り返し録画という機能の性質上、全ての番組を放送終了時刻まで録画してしまうと記録時間(記憶容量)に影響がでてしまう。しかし、本実施形態では、ユーザーが視聴の意思を示した番組のみを延長録画する為、記録可能時間(記録容量)への影響が少ない。
【００３４】
その他実施例の以下のような変形例を採りうる。
（ａ）再生するかどうかに関係なく、録画開始時刻にかかる番組は、自動的に全てのチャンネルを録画延長する。
（ｂ）再生するかどうかに関係なく、録画終了時刻にかかる番組は、自動的に全てのチャンネルを録画延長する。
（ｃ）録画開始時刻、録画終了時刻で余分に録画するかどうかをユーザーが設定できる仕組みを設ける（例えば表示部にメニューを出し、リモコンのボタン操作で設定する）。
【００３５】
（ｄ）録画開始時刻、録画終了時刻で余分に録画する時間(期間)をユーザーが設定できる仕組みを設ける。
なお、この発明は上記実施形態に限定されるものではなく、この外その要旨を逸脱しない範囲で種々変形して実施することができる。例えば、延長の意思を確認するための対象は、録画中の番組でなく放送中の番組でもよい。即ち、この外部からの延長の意思の入力手段としては、放送中の番組を見ることによりこの番組が録画対象番組であれば、この放送時間を延長するようにしてもよい。
【００３６】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００３７】
１  アンテナ
２  チューナ／復調器
３  ＴＳデコーダ
４  記憶メモリ
５  デコーダ
６  合成処理部
７  ユーザーＩ／Ｆ
８  制御部
９  録画情報管理部
【図１】
2012004718.tif 000003
【図２】
2012004718.tif 000004
【図３】
2012004718.tif 000005
【図４】
2012004718.tif 000006
【図５】
2012004718.tif 000007
【図６】
2012004718.tif 000008
【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
複数のチャンネルに対して共通して録画される録画開始から終了までの録画時間帯が設定されたコンテンツ関連情報を管理する録画情報管理手段と、
前記録画情報管理手段により管理されたコンテンツ関連情報の録画時間帯に前記複数のチャンネルにより放送される複数の放送番組を同時に録画する録画手段と、
前記録画された複数の放送番組の中から選択された一つの放送番組を再生する再生手段と、
前記再生手段により再生されている前記放送番組が前記録画手段により録画中であり、かつ前記コンテンツ関連情報から取得した当該放送番組の録画終了時刻よりも放送終了時刻の方が時刻が遅い場合、前記再生手段により再生されていないチャンネルの放送番組の録画時間帯を変えることなく、再生されているチャンネルの録画中の放送番組の録画終了時刻を前記放送終了時刻に変更する延長手段と
を備えたことを特徴とする放送録画装置。
【請求項２】
更に延長の意思を確認するための表示を行う信号を表示手段へ出力する表示信号出力手段と、
この表示に基づく外部からの延長の意思の入力手段とを備え、
この延長の意思が入力された場合、前記延長手段は、当該放送番組の録画時間を延長することを特徴とする請求項１に記載の放送録画装置。
【請求項３】
前記延長手段は、
録画終了時刻を延長した当該放送番組の前記コンテンツ関連情報を更新し、次回の当該放送番組の録画時間を延長することを特徴とする請求項１に記載の放送録画装置。
【請求項４】
当該放送番組の録画時間の延長は、録画開始時刻を前に延長することであることを特徴とする請求項３に記載の放送録画装置。
【請求項５】
前記表示手段を更に備えたことを特徴とする請求項２に記載の放送録画装置。
【請求項６】
複数のチャンネルに対して共通して録画される録画開始から終了までの録画時間帯が設定されたコンテンツ関連情報を管理し、
前記管理されたコンテンツ関連情報の録画時間帯に前記複数のチャンネルにより放送される複数の放送番組を同時に録画し、
前記録画された複数の放送番組の中から選択された一つの放送番組を再生し、
前記再生されている前記放送番組が録画中であり、かつ前記コンテンツ関連情報から取得した当該放送番組の録画終了時刻よりも放送終了時刻の方が時刻が遅い場合、再生されていないチャンネルの放送番組の録画時刻帯を変えることなく、再生されているチャンネルの録画中の放送番組の録画終了時刻を前記放送終了時刻に変更する
ことを特徴とする放送録画方法。
【手続補正２】
【補正対象書類名】明細書
【補正対象項目名】０００７
【補正方法】変更
【補正の内容】
【０００７】
上記課題を解決するために、実施形態の放送録画装置によれば、複数のチャンネルに対して共通して録画される録画開始から終了までの録画時間帯が設定されたコンテンツ関連情報を管理する録画情報管理手段と、前記録画情報管理手段により管理されたコンテンツ関連情報の録画時間帯に前記複数のチャンネルにより放送される複数の放送番組を同時に録画する録画手段と、前記録画された複数の放送番組の中から選択された一つの放送番組を再生する再生手段と、前記再生手段により再生されている前記放送番組が前記録画手段により録画中であり、かつ前記コンテンツ関連情報から取得した当該放送番組の録画終了時刻よりも放送終了時刻の方が時刻が遅い場合、前記再生手段により再生されていないチャンネルの放送番組の録画時間帯を変えることなく、再生されているチャンネルの録画中の放送番組の録画終了時刻を前記放送終了時刻に変更する延長手段とを備えたことを特徴とする。